(57)【特許請求の範囲】
【請求項１】
液透過性の内面シートと、外面シートと、両シート間に挟まれた液吸収体とを有する袋状の本体部と、非親水性の軟質シートで形成された筒状体と、前記筒状体の内部に挿入されたペニスに対して前記筒状体の口部を締め付け可能な締め付け手段とを有し、
前記筒状体は、内端部が、前記本体部の開口部から前記本体部の内方へ離れた位置で且つ前記液吸収体を有する位置で前記内面シートに固定されており、前記口部が前記本体部の外へ出ていることを特徴とする男性用尿取りパッド。
【請求項２】
液透過性の内面シートと外面シートと両シート間に挟まれた液吸収体とを有する平坦な積層体が、前記内面シートが内側に向くように２つ重ねられまたは折り返されてその周囲が閉鎖されて前記袋状の本体部が形成されており、前記周囲の一部に前記開口部が形成されている請求項1記載の男性用尿取りパッド。
【請求項３】
液透過性の内面シートと外面シートと両シート間に挟まれた液吸収体とを有する平坦な積層体が、前記内面シートが内側に向くように２つ重ねられまたは折り返されてその周囲の全周が閉鎖された前記袋状の本体部が形成されており、前記周囲以外で前記積層体が重ねられた領域において前記積層体の中間部分に前記開口部が形成されている請求項1記載の男性用尿取りパッド。
【請求項４】
前記軟質シートは不織布である請求項１ないし３のいずれかに記載の男性用尿取りパッド。
【請求項５】
前記締め付け手段は、前記筒状体の口部の周囲に取り付けられた伸縮可能な弾性部材である請求項１ないし４のいずれかに記載の男性用尿取りパッド。
【請求項６】
前記締め付け手段は、前記筒状体の口部の周囲に取り付けられた一対の弾性変形可能な板状体であり、前記板状体は、平行な状態で両端部が互いに固定され、両板状体間でペニスを挟んで保持可能とされた請求項１ないし４のいずれかに記載の男性用尿取りパッド。
【発明の詳細な説明】
【０００１】
【発明の属する技術分野】
本発明は、尿失禁用などとして使用される男性用の尿取りパッドに係り、特に、ペニスが外れにくく、尿が外部に漏れにくいようにした男性用尿取りパッドに関する。
【０００２】
【従来の技術】
尿失禁用などとして使用される男性用尿取りパッドは、液透過性の内面シートと、液不透過性の外面シートと、両シート間に挟まれた吸収体とから成る積層体により形成されている。前記吸収体は、パルプなどの吸水性繊維、または前記吸収性繊維と高吸収性ポリマー（ＳＡＰ）との混合体などにより形成されている。
【０００３】
その構造は、前記積層体が平坦な形状に形成されており、使用時にペニスを囲むように丸めて使用するもの、または前記積層体が２つ折りとされその両側縁部が接合されて、1個所に開口部を有する袋状とされたものがある。
【０００４】
【発明が解決しようとする課題】
前記従来の男性用尿取りパッドは、ペニスを挿入する開口部の周囲が積層体により形成されており、吸収体が前記開口部の周囲またはその近傍にまで延びている。したがって、尿取りパッドの開口部がペニスに確実にフィットせず、開口部とペニスとの間に隙間が形成されやすい。
【０００５】
その結果、尿取りパッドをペニスに装着した後に、尿取りパッドの外側におむつを装着するときに、その装着の外力によっておむつ内で尿取りパッドが位置ずれし、ペニスが前記開口部から外れたり、あるいは開口部がペニスの先部に位置した状態で装着され、尿が開口部から尿取りパッドの外部に漏れやすくなる。
【０００６】
また、前記男性用尿取りパッドとおむつを装着した状態で、体を動かしたときも、同様にして尿取りパッドがずれて、ペニスが開口部から外れやすくなって、尿が外部に漏れやすくなる。
【０００７】
本発明は上記従来の課題を解決するものであり、ペニスにフィットしやすく、また位置ずれが生じにくくして、外部への尿の漏れを防止できる男性用尿取りパッドを提供することを目的としている。
【０００８】
【課題を解決するための手段】
本発明の尿取りパッドは、液透過性の内面シートと、外面シートと、両シート間に挟まれた液吸収体とを有する袋状の本体部と、非親水性の軟質シートで形成された筒状体と、前記筒状体の内部に挿入されたペニスに対して前記筒状体の口部を締め付け可能な締め付け手段とを有し、
前記筒状体は、内端部が、前記本体部の開口部から前記本体部の内方へ離れた位置で且つ前記液吸収体を有する位置で前記内面シートに固定されており、前記口部が前記本体部の外へ出ていることを特徴とするものである。
【０００９】
前記外面シートは、液不透過性の樹脂シートで形成されることが好ましいが、外面シートの少なくとも一部分から外部へ尿が透過して、尿取りパッドの外側に位置するおむつに尿の一部が吸収されるものであってもよい。
【００１０】
また、締め付け手段は、後に説明するように、筒状体の口部に取り付けられた弾性部材などで構成されることが好ましいが、筒状体と締め付け手段が別体のものであって、ペニスを筒状体に挿入した後に、前記別体の締め付け手段を用いて、筒状体の口部をペニスに締め付けてもよい。
【００１１】
本発明では、吸収体を有する本体が外力によって位置ずれしても、その力を軟質な筒状体で吸収できるため、ペニスが外れたりすることが生じにくい。
【００１２】
例えば、液透過性の内面シートと外面シートと両シート間に挟まれた液吸収体とを有する平坦な積層体が、前記内面シートが内側に向くように２つ重ねられまたは折り返されてその周囲が閉鎖された前記袋状の本体部が形成されており、前記周囲の一部に前記開口部が形成されている構造である。
【００１３】
あるいは、液透過性の内面シートと外面シートと両シート間に挟まれた液吸収体とを有する平坦な積層体が、前記内面シートが内側に向くように２つ重ねられまたは折り返されてその周囲の全周が閉鎖された前記袋状の本体部が形成されており、前記周囲以外で前記積層体が重ねられた領域において前記積層体の中間部分に前記開口部が形成されている構造である。
【００１４】
上記構造では、尿取りパッドの内部において、筒状体が突出する開口部に対面する部分に内面シートおよび吸収体が前記開口部の両側に延びているため、尿を吸収体で効果的に吸収できるようになる。
【００１５】
前記軟質シートが、袋状に形成された本体の内面の一部の領域まで延び、筒状体を形成する前記軟質シートが、前記開口部から前記本体部の内方へ離れた位置で前記内面シートに固定されていることが好ましい。
【００１６】
なお、前記筒状体が、液透過性の内面シートと、液不透過性などの外面シートと、両シート間に挟まれた薄い吸収体（吸収コア）とを有する薄型の吸収性の積層体シートで形成されていてもよい。
【００１７】
前記締め付け手段は、前記筒状体の口部の周囲に取り付けられた伸縮可能な弾性部材である。あるいは、前記締め付け手段は、前記筒状体の口部の周囲に取り付けられた一対の弾性変形可能な板状体であり、前記板状体は、平行な状態で両端部が互いに固定され、両板状体間でペニスを挟んで保持可能とされる。
【００１８】
前記の板状体を用いると、両板状体の両端部を指で押し、板状体を互いに離れる方向へ湾曲させて、筒状体にペニスを挿入できるため、ペニスへの装着が容易である。
【００１９】
【発明の実施の形態】
図１（Ａ）は、本発明の第1の実施の形態の男性用尿取りパッドを示す斜視図、図１（Ｂ）は、男性用尿取りパッドの筒状体の口部が開いた状態を示す部分斜視図、図２は図1（Ａ）のＩＩ−ＩＩ線の断面図であり、ペニスに装着された状態を示す。図３は図２に示す断面図の一部分の拡大図である。
男性用尿取りパッドの本体部１は、積層体２により構成されている。積層体２は、内面シート３と、外面シート４と、両シートの間に挟まれた吸収コア（吸収体）５とから構成されている。内面シート３は液透過性シートであり、例えば疎水性繊維に親水処理したものまたは親水性繊維で形成された、ポイントボンド、エアースルー、スパンボンド、あるいはスパンレースなどの不織布である。外面シート４は液不透過性で、例えばオレフィン系の樹脂シートなどで形成されている。
【００２０】
吸収コア５は、粉砕パルプあるいは粉砕パルプと高吸収性ポリマー（ＳＡＰ）との混合物により形成され、さらにティッシュなどの吸収性シートで包まれて構成されている。または、吸収コア５が、親水性繊維で形成された不織布と、ＳＡＰとで構成され、前記ＳＡＰが前記不織布の間に介在し、不織布どうしが部分的に接合されているものであってもよい。
【００２１】
前記積層体２は平坦なシート状であり、両側部には吸収コア５が存在せず前記外面シート４が延出して接合部２ａが形成されている。この積層体２は、展開した状態で全体が砂時計形状で吸収コア５も砂時計型である。この積層体２は底部２ｂにて二つ折りにされ、両側縁部では、前記接合部２ａにおいて外面シート４どうしが接着剤により接着され、または熱シールあるいは接着剤と熱シールとの複合により接合されている。積層体２が前記底部２ｂで二つ折りにされ、また前記接合部２ａどうしが接着接合されることにより、３つの側部が閉鎖された袋状とされ、一つの側部が開口部２ｃとなった本体部１が形成される。図２に示すように、開口部２ｃの周縁部２ｄでは、外面シート４が本体部１の内側まで延びて、内面シート３の上に重ねられて接着されている。
【００２２】
前記本体部１の開口部２ｃから外部に筒状体６が突出している。筒状体６は、軟質なシートにより筒状に形成されている。図２に示すように、ペニスＰはこの筒状体６内から本体部１にかけて挿入される。
【００２３】
筒状体６を形成する軟質シートは、疎水性繊維でかつ親水処理されていないスパンボンド不織布などで形成されている。または疎水性繊維で親水処理されていないメルトブローン不織布と、スパンボンド不織布との複合体（積層体）で形成されている。この場合、内面には肌に対して柔かいメルトブローン不織布が向けられ、外面にはスパンボンド不織布が向けられる。
【００２４】
筒状体６の口部６ａには締め付け手段７が設けられている。この締め付け手段７は一対の板状体７ａと７ｂを有している。板状体７ａと７ｂは、弾性を有して撓み変形可能とされたものであり、口部６ａにおいて筒状体６を構成している軟質シートに接着などで固定されている。一対の板状体７ａと７ｂは、両端部７ｃ、７ｃにて互いに接着などで固定されている。図１（Ｂ）に示すように、板状体７ａと７ｂに対し両端部にて長手方向へ力Ｆを与えると、板状体７ａと７ｂが互いに離れる方向へ座屈変形し、口部６ａが開く。
【００２５】
ペニスＰを口部６ａから筒状体６の内部へ挿入した後に、前記力Ｆを除くと、板状体７ａと７ｂの平坦な状態への復元力で、ペニスＰが挟まれて筒状体６の口部６ａがペニスＰに締め付けられる。
【００２６】
前記板状体７ａと７ｂは、肌に対して柔らかい接触感触を与えるもので、かつ弾性復元力があまり強くないものが好ましく、例えば硬質発泡ウレタンなどで形成される。またはプラスチック板、あるいは樹脂を含浸した厚紙などで形成することも可能である。
【００２７】
図２に示すように、本体部１の開口部２ｃからの前記筒状体６の突出寸法Ｌ１は、１ｃｍ以上で５ｃｍ以下が好ましくさらに好ましくは２ｃｍ以上で３ｃｍ以下である。前記突出寸法Ｌ１が短かすぎると、本体部１に対して外力が作用したときに、本体部１と装着者の体との間で筒状体６が力を緩和する能力が低くなり、筒状体６の口部６ａがペニスＰに対して位置ずれしやすい。また突出寸法Ｌ１が長すぎると、本体部１に外力が作用したときに、ペニスＰの先端が本体部１の開口部２ｃから外れやすく、またはペニスＰの先端が開口部２ｃに近くなり、吸収コア５によって尿を十分に吸収できなくなる。
【００２８】
前記筒状体６の内端部６ｂは、本体部１の内部において、内面シート３に対してホットメルトなどの接着剤８により接着固定されている。筒状体６は、主に内端部６ｂの部分で固定されているため、筒状体６は本体部１の内部で比較的自由度を有している。したがって、図２に示す装着状態で本体部１が動いたときに、筒状体６の自由度によって、本体部１に作用する外力が締め付け手段７の部分に直接に作用しにくくなり、口部６ａに対して抜け力が作用しにくくなる。
【００２９】
本体部１内で筒状体６の自由度を確保して、本体部１に与えられる外力により口部６ａがペニスＰから抜けにくくするためには、本体部１の開口部２ｃから筒状体６の内端部６ｂまでの距離Ｌ２が２ｃｍ以上であることが好ましく、さらに好ましくは３ｃｍ以上である。
【００３０】
また、筒状体６の全長Ｌ１＋Ｌ２は、３ｃｍ以上で７ｃｍ以下が好ましい。７ｃｍよりも長くなると、ペニスＰが短い場合に、尿が筒状体６に当たって内面シート３に直接に当たらなくなり、吸収コア５による尿の吸収効果が低下する。
【００３１】
図１（Ａ）に示すように、本体部１を構成する積層体２には、幅方向に延びる弾性部材９が、縦方向に所定のピッチで複数本設けられている。この弾性部材９は、ペニスＰに対する表側（ｉ）と裏側（ｉｉ）の双方に対してそのほぼ全領域に設けられている。その結果、袋状の本体部１を構成する積層体２に幅方向へ収縮するギャザーが形成され、使用前の状態において、本体部１の容量が小さくなる。
【００３２】
図３に示すように、弾性部材９は、吸収コア５と外面シート４との間に設けられ、弾性部材９と吸収コア５との間および／または弾性部材９と外面シート４との間が、加水分解する接着剤、または加水することにより剥離しやすくなる接着剤により接着されている。したがって、尿が内面シート３を透過して吸収コア５で吸収される過程において、弾性部材９と、吸収コア５および／または外面シート４との接着が解除される。このとき外面シート４および／または吸収コア５には弾性部材９による弾性収縮力が作用しなくなり、尿を吸収した吸収コア５が主に内側へ膨らむことができる。
なお、前記弾性部材９を吸収コア５と内面シート３との間に同様にして設けてもよい。
【００３３】
このように構成すると、多くの量の尿を吸収できる大容量の尿取りパッドを構成した場合に、使用前の状態では、図１（Ａ）に示すようにコンパクトに構成でき、使用時には多くの尿を吸収することが可能になる。
【００３４】
前記加水分解性の接着剤としては、水溶性のカルボキシルメチルセルロース（ＣＭＣ）、ポリビニルアルコール（ＰＶＡ）などが挙げられる。また加水することにより剥離しやすくなる接着剤としては、水膨潤性のＣＭＣやゴム系のホットメルト型接着剤などが挙げられる。前記弾性部材９は、ゴム、合成ゴムなどである。または弾性部材９そのものが水溶性、水分解性、あるいは吸水することにより弾性収縮力が低下するもの、または水膨潤性の繊維で形成されたものなどであってもよい。この場合には、加水分解性などの接着剤を用いなくても、吸収コア５が尿を吸収する過程で、ギャザーが解離して本体部１を構成する吸収コア５が膨らむようになる。
【００３５】
この男性用尿取りパッドを使用するときには、図１（Ｂ）に示すように、締め付け手段７の板状体７ａと７ｂに力Ｆを与え、板状体７ａと７ｂを撓み変形させて口部６ａを開き、ペニスＰを筒状体６の中に挿入し、板状体７ａと７ｂをペニスＰの根元に引き上げて前記力Ｆを解除する。板状体７ａと７ｂは、自らの弾性力により平坦な状態に復元し、このとき筒状体６の口部６ａがペニスＰの根元に締め付けられる。
【００３６】
その後は、尿取りパッドの上から使い捨ておむつが装着され、またはおむつとおむつカバーとが装着される。このときの締め付け力が本体部１に作用して装着者の体に対して本体部１がずれたとしても、筒状体６が変形することにより、前記ずれ力が吸収されまたは緩和される。したがって、締め付け手段７によるペニスＰに対する締め付け力があまり大きくなくても、筒状体６の口部６ａがペニスＰの根元から位置ずれすることが起こりにくい。またペニスＰは常に筒状体６に包まれているため、本体部１が動いても、ペニスＰの先部が本体部１の開口部２ｃから抜け出にくい。
【００３７】
また筒状体６が非親水性であるため、ペニスＰを包んでいる筒状体６が尿を吸収することがなく、むしろ筒状体６が本体部１の内部に尿を導く機能を発揮する。したがって尿は、本体部１の底部２ｂまたはその周囲の吸収体５に優先的に与えられることになり、吸収体５による尿の吸収効率がよくなる。また本体部１の開口部２ｃにおいて、ペニスＰは非親水性の筒状体６に囲まれているため、前記開口部２ｃから外部に漏れ出ようとする尿が筒状体６によって止められ、開口部２ｃから溢れることがない。
【００３８】
図４は本発明の第２の実施の形態の男性用尿取りパッドの斜視図である。
図４に示す男性用尿取りパッドでは、本体部１Ａが積層体２Ａにより袋状に形成されている。積層体２Ａは、図２に示したのと同様に、液透過性の内面シート３と液不透過性の外面シート４と、両シートの間に挟まれた吸収コア５とから構成されている。
【００３９】
図４に示す尿取りパッドの本体部１Ａでは、積層体２Ａが展開されたときの形状が長方形であり、吸収コア５も展開した状態が長方形である。積層体２Ａは底部２ｂで二つ折りされ、積層体２Ａの両側部の接合部２ａにおいて外面シート４どうしが接着されて、３方向の周囲部が閉鎖され、１方向の周囲部に開口部２ｃが形成された袋体が形成されている。
【００４０】
また底部２ｂの両側部分１１が前方に折り曲げられて外面シート４に接着されて、全体が５角形となっている。この本体部１Ａでは、積層体全体にギャザーを形成する弾性部材が設けられておらず、開口部２ｃの周縁部においてのみ弾性部材１２が設けられて、開口部２ｃがやや収縮してギャザーが形成されている。
【００４１】
なお、前記積層体２Ａを展開した状態で砂時計形状で、吸収コア５も砂時計形状であり、砂時計形状の幅の細い部分で二つ折りにし、両側部の接合部２ａにおいて外面シート４どうしを接合して、全体がホームベース型の５角形の袋状としてもよい。
【００４２】
本体部１Ａからは、図１と図２に示したものと同様の非親水性の筒状体６が突出している。図２に示したのと同様に、図４に示す筒状体６も内端部が、本体部１Ａの内部において内面シート３に接着されている。また筒状体６の口部６ａには、締め付け手段となるバンド状または紐状の弾性部材１３が周囲全周に取り付けられている。筒状体６内にペニスＰが挿入された状態で、弾性部材１３の弾性収縮力により、口部６ａがペニスＰの根元に締め付けられる。
【００４３】
さらに、本体部１Ａの表側（ｉ）の外面シート４の表面の一部には粘着層が設けられ、その表面に離型シート１４が貼り付けられている。この男性用尿取りパッドをペニスＰに装着し、その外側からおむつを装着したときに、前記離型シート１４を剥がしておくと、前記粘着層がおむつの内面に貼り付いて、おむつ内での尿取りパッドのずれ止めが行われる。なお、図１に示す本体部１においても表面に粘着層と離型シートを設けてもよい。
【００４４】
図５は本発明の第３の実施の形態の男性用尿取りパッドを示す斜視図、図６は図５のＶＩ−ＶＩ線の断面図でペニスＰに装着した状態を示している。
【００４５】
この男性用尿取りパッドの本体部１Ｂを構成している積層体２Ｂは、液透過性の内面シート３と、液不透過性の外面シート４と、両シート３と４に挟まれた吸収コア５とが積層されたものである。前記積層体２Ｂは、２個所の折り返し部２ｅと２ｆで折り返され、両側部の接合部２ａにおいて、外面シート４どうしが接着剤および／または熱シールにより接合されている。その結果、本体部１Ｂは周囲の全周が閉鎖された袋体である。
そして、本体部１Ｂの表側（ｉ）において、積層体２Ｂの中間領域に、開口部２ｇが形成されている。
【００４６】
前記開口部２ｇからは筒状体１６が突出している。筒状体１６は、非親水性の不織布などの軟質シートにより形成されている。筒状体１６の口部１６ａには締め付け手段１７が取り付けられている。締め付け手段１７は、口部１６ａにおいて、軟質シートに対して接着などにより接合された互いに平行な板状体１７ａと１７ｂを有している。板状体１７ａと１７ｂは両端部が互いに開いており、この開いている部分に板状の短片１７ｃ、１７ｃが接着剤により接合されている。
【００４７】
また、図６に示すように、筒状体１６の内端部１６ｂは、折り返し部２ｅ側と２ｆ側に展開され、ホットメルト型などの接着剤１８により、本体部１Ｂの表側（ｉ）の積層体の内部において内面シート３に接着接合されている。
【００４８】
この男性用尿取りパッドでは、締め付け手段１７を構成する板状体１７ａと１７ｂの両端部の短片１７ｃ、１７ｃを指で押すと、板状体１７ａと１７ｂが撓み、筒状体１６の口部１６ａが開く。前記板状体１７ａと１７ｂの両端部に短片１７ｃ、１７ｃが接合されていると、この短片１７ｃ、１７ｃに指を掛けやすくなり、口部１６ａを開きやすくなる。よって、介護者などが片手で口部１６ａを確実に開いてペニスＰに装着できる。
【００４９】
図６に示すように、ペニスＰが装着された状態では、表側（ｉ）では積層体２Ｂの内面シート３に、筒状体１６を形成する液不透過性などの軟質シートが設けられているため、尿は軟質シートにより遮られ、開口部２ｇ側に漏れ出にくい。また裏側（ｉｉ）の積層体２Ｂでは、ペニスＰに対向する部分の全域に液透過性の内面シート３と、吸収コア５が対向しているため、尿は広い面積にて吸収コア５に吸収される。尿が裏側（ｉｉ）の吸収コア５により先に吸収されることにより、本体部１Ｂ内において、尿が効果的に吸収され、開口部２ｇの方向へ逆戻りしにくくなる。
【００５０】
また、本体部１Ｂの表側（ｉ）において、外面シート４の表面に粘着層が形成され、離型シート１４が添着されている。
【００５１】
なお、実施の形態ではいずれも、内面シート、外面シートおよび吸収コアから成る積層体が折られて、接合部２ａが接着され、袋状の本体部が形成されているが、２枚の平坦状の積層体が重ねられ、その周囲部分が接合されて袋状の本体部が形成されてもよい。
【００５２】
または、本体部が予め袋状に成形されたものではなく、例えば平坦状の積層体であり、使用時にペニスＰを包むように変形させて使用するものであり、この積層体の内面シートに、軟質の筒状体が接合されているものであってもよい。
【００５３】
【発明の効果】
以上のように、本発明では、吸収コアを有する本体部の開口部から軟質な筒状体が突出し、筒状体の口部がペニスに締め付けられるため、本体部に外力が作用し、本体部が装着者の体に対して位置ずれを起こしたときに、本体部に作用した力が直接にペニスに与えられず、筒状体の変形により吸収されるため、筒状体の口部がペニスから外れたり位置ずれしにくい。
【００５４】
また前記筒状体が非親水性であるので、筒状体が尿を本体部の内部に導くように機能し、本体部の内部の吸収体から先に尿を吸収するようになり、本体部の吸収体により尿が効果的に吸収されるようになる。
【図面の簡単な説明】
【図１】（Ａ）は本発明の第１の実施の形態の男性用尿取りパッドを示す斜視図、（Ｂ）は筒状体の口部が開いた状態を示す部分斜視図、
【図２】図１のＩＩ−ＩＩ線の断面図で、ペニスに装着された状態を示す、
【図３】図２の部分拡大図、
【図４】本発明の第２の実施の形態の男性用尿取りパッドを示す斜視図、
【図５】本発明の第３の実施の形態の男性用尿取りパッドを示す斜視図、
【図６】図５のＶＩ−ＶＩ線の断面図、
【符号の説明】
１、１Ａ、１Ｂ  本体部
２、２Ａ、２Ｂ  積層体
３  内面シート
４  外面シート
５  吸収コア（吸収体）
６、１６  筒状体
６ａ、１６ａ  口部
６ｂ、１６ｂ  内端部
７  締め付け手段
７ａ、７ｂ  板状体
Ｐ  ペニス
【図１】
0004198780.tif 000002
【図２】
0004198780.tif 000003
【図３】
0004198780.tif 000004
【図４】
0004198780.tif 000005
【図５】
0004198780.tif 000006
【図６】
0004198780.tif 000007